(57)【要約】【課題】  光沢紙とマット紙のどちらを用いても、それぞれの記録媒体に適した発色性と光沢性に優れた画像を形成するインクジェット記録装置を提供する。【解決手段】  複数の異なる色材濃度を有する顔料インクセットを用いて記録を行うインクジェット記録装置において、光沢紙には前記インクセットのうち最も色材濃度の高い濃インクを使用しないで記録を行い、マット紙には前記インクセットのうち少なくとも最も色材濃度の高いインクを用いて記録を行う。【選択図】  図１５
2010253883.tif 000002
【特許請求の範囲】
【請求項１】
同系色で異なる顔料濃度を有する少なくとも３種類のインクを用いて記録を行うインクジェット記録装置であって、
前記３種類のインクのうち最も顔料濃度が高い第１のインクを使用せずに、前記第１のインクよりも顔料濃度の低い第２のインク及び前記第２のインクよりも顔料濃度の低い第３のインクの少なくともいずれかを用いて第１の記録媒体に記録を行うための第１のモードと、少なくとも前記第１のインクを用いて前記第１の記録媒体よりも光沢度の低い第２の記録媒体に記録を行うための第２のモードとを実行可能であることを特徴とするインクジェット記録装置。
【請求項２】
前記第１の記録媒体は光沢紙であり、前記第２の記録媒体はマット紙であることを特徴とする請求項１に記載のインクジェット記録装置。
【請求項３】
前記第２のモードは、前記第１のインク、前記第２のインクおよび前記第３のインクを用いて記録を行うためのモードであることを特徴とする請求項１及び２に記載のインクジェット記録装置。
【請求項４】
前記第１のモードは、前記第１のインクを用いずに、前記第２のインク及び前記第３のインクの両方を用いて記録を行うためのモードであることを特徴とする請求項１乃至３のいずれかに記載のインクジェット記録装置。
【請求項５】
前記第２のインク及び前記第３のインクを用いずに、第１のインクを用いて前記第１の記録媒体および第２の記録媒体とは材質の異なる第３の記録媒体に記録を行うための第３のモードを実行可能であることを特徴とする請求項１乃至４のいずれかに記載のインクジェット記録装置。
【請求項６】
少なくとも前記第１のインクを用いて前記第１の記録媒体に記録を行うための第４のモードを実行可能であることを特徴とする請求項１乃至５のいずれかに記載のインクジェット記録装置。
【請求項７】
同系色で異なる顔料濃度を有する少なくとも３種類のインクを用いて記録を行うインクジェット記録装置と、前記インクジェット記録装置に画像データを供給するための供給装置とを有するインクジェット記録システムであって、
前記３種類のインクのうち最も顔料濃度が高い第１のインクを使用せずに、前記第１のインクよりも顔料濃度の低い第２のインク及び前記第２のインクよりも顔料濃度の低い第３のインクの少なくともいずれかを用いて第１の記録媒体に記録を行う第１のモードと、少なくとも前記第１のインクを用いて前記第１の記録媒体よりも光沢度の低い第２の記録媒体に記録を行うための第２のモードとを含む複数のモードから実行すべき１つのモードを、少なくとも記録媒体の種類を示す信号に基づいて選択することを特徴とするインクジェット記録システム。
【発明の詳細な説明】
【技術分野】
【０００１】
本発明は、複数の異なる色材濃度の顔料インクを用いたインクジェット記録装置及びインクジェット記録システムに関する。特に、様々な種類の記録媒体に高画質な画像を形成するためのインクジェット記録装置及びインクジェット記録システムに関するものである。
【背景技術】
【０００２】
従来、インクジェット記録において、画像品位の向上を目的として、複数の異なる色材濃度を有するインクを用いて記録を行うインクジェット記録装置が普及している。例えば、Ｙ、Ｍ、Ｃ、Ｋの４色に加え、より色材濃度の低い淡インクとして同系色の淡イエロー（淡Ｙ、ＬＹ）、淡マゼンダ（淡Ｍ、ＬＭ）、淡シアン（淡Ｃ、ＬＣ）を用いるインクジェット記録装置である。この淡インクをハイライト部において積極的に使用することにより、記録画像の粒状性を軽減できることが知られている。
【０００３】
また、記録媒体の種類に応じて複数の色材濃度の異なるインクの中から最適なインクの組み合わせを選択することにより、高い発色性や良好な階調性を伴った高画質な画像を形成する方法が知られている。色材濃度の異なるインクを用いて記録を行うインクジェット記録装置は、記録画像の高画質化において重要な役割を担っている。
【０００４】
一方、染料インクに比べて印刷物の画像堅牢性の高い顔料インクを用いた記録画像が望まれている。記録媒体としては、ＰＰＣ用紙に代表される普通紙を始め、上質紙やフィルム等の基板上にインク受容層を設けてなるコート紙、ＣＤ／ＤＶＤ、ＯＨＰ、はがき等、多様な種類がある。さらに、高画質化・高品位化が強く求められるコート紙には、光沢感に優れる鏡面を持つ光沢紙から、つや消し調のマット紙まで、種々の質感を持つものが市販されている。
【０００５】
顔料インクを用いたインクジェット記録装置において、高画質化における課題は上記記録媒体の種類によって異なっている。例えば、発色性と耐擦性の観点より、普通紙の発色性とコート紙の耐擦性の向上を両立する方法が知られている。コート紙に比べ発色性におとる普通紙では積極的に濃インクを使用し、普通紙より耐擦性に劣るコート紙にはポリマーを多く含有した淡インクを積極的に使用することが記載されている（特許文献１参照）。
【先行技術文献】
【特許文献】
【０００６】
【特許文献１】特開２００２−３７６８号公報
【発明の概要】
【発明が解決しようとする課題】
【０００７】
しかしながら、特許文献１に記載の方法では、マット紙での高発色性と光沢紙における高光沢性を両立することが困難な場合がある。  これは、インク吸収性の低い光沢紙に、インク吸収性が高いマット紙で良好な発色性を得るための濃インクを用いると、記録媒体表面に色材が残存して凹凸となるためであることが知られている。図１（ａ）は、ヘッドより吐出され記録媒体に着弾した単一のインクドットに着目した場合、色材濃度が高い顔料インクを用いる程、単一のインクドットの高さが高くなる様子である。このようなインクドットの凹凸により、記録画像の光沢性が低下する。上記問題を解決するために、例えば、透明インクを用いて凹凸の激しい記録媒体表面をオーバーコートし平滑化することで、良好な光沢感を実現する手法もあるが、使用する透明インクの消費量が多いという問題がある。
【０００８】
よって本発明は前記課題を解決するためのものであり、複数の濃度のインクセットを有する単一のインクジェット記録装置において、マット紙における高い発色性と光沢紙における高い光沢性を両立可能なインクジェット記録装置を提供する。
【課題を解決するための手段】
【０００９】
上記目的を達成するために、本発明は、同系色で異なる顔料濃度を有する少なくとも３種類のインクを用いて記録を行うインクジェット記録装置であって、前記３種類のインクのうち最も顔料濃度が高い第１のインクを使用せずに、前記第１のインクよりも顔料濃度の低い第２のインク及び前記第２のインクよりも顔料濃度の低い第３のインクの少なくとも一方を用いて第１の記録媒体に記録を行うための第１のモードと、少なくとも前記第１のインクを用いて前記第１の記録媒体よりも光沢度の低い第２の記録媒体に記録を行うための第２のモードとを実行可能であることを特徴とする。
【００１０】
また、他の本発明は、同系色で異なる顔料濃度を有する少なくとも３種類のインクを用いて記録を行うインクジェット記録装置と、前記インクジェット記録装置に画像データを供給するための供給装置とを有するインクジェット記録システムであって、前記３種類のインクのうち最も顔料濃度が高い第１のインクを使用せずに、前記第１のインクよりも顔料濃度の低い第２のインク及び前記第２のインクよりも顔料濃度の低い第３のインクの少なくともいずれかを用いて第１の記録媒体に記録を行う第１のモードと、少なくとも前記第１のインクを用いて前記第１の記録媒体よりも光沢度の低い第２の記録媒体に記録を行うための第２のモードとを含む複数のモードから実行すべき１つのモードを、少なくとも記録媒体の種類を示す信号に基づいて選択することを特徴とする。
【発明の効果】
【００１１】
顔料インクを用いて記録を行うインクジェット記録装置において、マット紙における高い高い発色性と光沢紙における高い光沢性を両立可能なインクジェット記録装置及びインクジェット記録システムを提供する。
【図面の簡単な説明】
【００１２】
【図１】第１の実施形態における顔料インクの着弾を説明する模式図
【図２】光沢度の説明図
【図３】記録媒体の種類と光沢度の関係の説明図
【図４】装置外観斜視図
【図５】装置内部斜視図
【図６】第１の実施形態における装置内の制御系電気ブロック図
【図７】第１の実施形態におけるインク構成成分を示す図
【図８】第１の実施形態における画像処理のフローチャート
【図９】第１の実施形態におけるプリンタドライバが記録装置に渡す記録データを示す図
【図１０】後段処理に用いる３次元ＬＵＴの説明図
【図１１】後段処理の説明図
【図１２】従来の記録媒体と使用するインクの関係図
【図１３】従来の記録媒体毎の後段処理の違いの説明図
【図１４】従来の記録媒体毎の使用するインク量の違いの説明図
【図１５】第１の実施形態における記録媒体と使用するインクの関係図
【図１６】第１の実施形態における記録媒体毎の後段処理の説明図
【図１７】第１の実施形態における記録媒体毎の使用するインク量の説明図
【図１８】第１の実施形態における記録媒体と使用するインクの関係図
【図１９】第２の実施形態における記録媒体と使用するインクの関係図
【図２０】記録モードをマニュアル設定する時のホスト１１０の表示を示す図
【図２１】第３の実施形態における記録動作設定内容を分類して示す図
【発明を実施するための形態】
【００１３】
（第１の実施形態）
以下添付図面を参照して本発明の好適な実施の形態について詳細に説明する。
最初に、本発明の実施形態において、種々の記録媒体を分類するための基準となる記録媒体表面の光沢について説明する。記録媒体の光沢を示す指標には、光沢度および写像性がある。
【００１４】
図２（ａ）〜（ｃ）は、光沢度を説明する図である。図２（ａ）に示すように、２０°鏡面光沢度（以下、光沢度と記載する）は、印刷物表面で反射した反射光を検出器（例えば、ＢＹＫ−Ｇａｒｄｎｅｒ社製のＢ−４６３２（日本名；マイクロ−ヘイズ  プラス））を用いて検出する。反射光は、その正反射光の軸を中心にある角度で分布しており、図２（ｃ）に示すように、光沢度は、例えば検出器中心の開口幅１．８°で検出される。すなわち、反射光が観察される場合、その分布の中心軸をなす正反射光の入射光に対する反射率が光沢度と定義され、この光沢度が大きいほど観測者は光沢感があると感じる。なお、光沢度はＪＩＳ規格のＫ５６００に準拠している。
【００１５】
図２（ｂ）は、印刷画像表面の粗さに応じて正反射光の量が異なることを示す図である。この図に示されるように、一般に表面が粗くなるほど正反射光の量が減り、これによって光沢度もより小さく測定される。
【００１６】
一方、写像性は、例えば、ＪＩＳ  Ｈ８６８６『アルミニウム及びアルミニウム合金の陽極酸化皮膜の写像性測定方法』やＪＩＳ  Ｊ７１０５『プラスチックの光学的特性試験方法』を用いて測定され、記録媒体に映り込んだ像の鮮明さを表す。例えば、記録媒体に映り込んだ照明像がぼやけている場合は、写像性の値が低くなる。一般に、光沢紙は写像性の値が３０以上の記録媒体であり、マット紙は写像性が３０未満の記録媒体である。
【００１７】
本実施形態では、簡単のために光沢度のみを記録媒体選択の指標として用いた場合を記載する。
【００１８】
図３は、異なる種類の記録媒体の表面形状と光沢度を説明するための図である。図３（ａ）〜（ｂ）は光沢紙及びマット紙の表面形状と反射光の関係を示す図である。尚、本実施形態では、光沢度が２％以上の記録媒体を光沢紙、２％未満の記録媒体をマット紙と分類している。
【００１９】
次に、以下に説明する実施形態において共通に用いられる装置の構成やインク成分構成や画像処理について説明する。図４は本実施形態で適用するインクジェット記録装置の外観を示す斜視図であり、図５はインクジェット記録装置内部を示す斜視図である。
【００２０】
本実施形態では、図４において、給紙トレイ１２より矢印で示す方向に記録媒体を挿入後、間欠的に搬送して画像形成し、排紙トレイＭ３１６０より排紙する。
【００２１】
図５において、キャリッジ５に搭載された記録ヘッド１は、矢印Ａ１、Ａ２方向にガイドレール４に沿って往復移動しながらノズルからインクを吐出し、記録媒体Ｓ２上に画像を形成する。記録ヘッド１は、例えば、異なるインクに対応した複数のノズル群を有している。例えば、後述する濃シアン、中シアン、淡シアン（Ｃ、ＭＣ、ＬＣ）、濃マゼンタ、中マゼンダ、淡マゼンタ（Ｍ、ＭＭ、ＬＭ）、濃イエロー、中イエロー（Ｙ、ＭＹ）、濃ブラック、中ブラック、淡ブラック（Ｋ、ＭＫ、ＬＫ）の１１色のインクである。これら各色のインクは、インクタンク７に貯留され、そのインクタンクから供給チューブを経て記録ヘッド１にインクが供給される。
【００２２】
また、キャリッジモータ１１の駆動力をタイミングベルト１７によってキャリッジ５に伝えることにより、キャリッジ５を矢印Ａ１、Ａ２方向（主走査方向）にガイド軸３とガイドレール４に沿って往復移動させる。このキャリッジ移動の際に、キャリッジ位置はキャリッジ５に設けられたエンコーダセンサ２１によりキャリッジの移動方向に沿って備えられたリニアスケール１９を読み取ることにより検出される。そして、この往復移動により記録媒体上への記録が開始される。この時、記録媒体Ｓ２は給紙トレイ１２より供給され、搬送ローラ１６とピンチローラ１５とにより挟持され、プラテン２まで搬送される。
【００２３】
次に、キャリッジ５がＡ１方向に１走査分の記録を行うと、搬送モータ１３によってリニアホイール２０を介して搬送ローラ１６が駆動される。そして、記録媒体Ｓ２が副走査方向である矢印Ｂ方向に所定量搬送される。その後、キャリッジ５がＡ２方向に走査しながら、記録媒体Ｓ２に記録が行なわれる。ホームポジションには図５に示されているように、ヘッドキャップ１０と回復ユニット１４が備えられ、必要に応じて間欠的に記録ヘッド１の回復処理を行う。
【００２４】
上記説明した動作を繰り返すことにより、記録媒体の１枚分の記録が終了すると、記録媒体は排紙され、１枚分の記録が完了する。
【００２５】
図６は、本実施形態におけるインクジェット記録装置の制御構成を示すブロック図を示す。コントローラ１００は主制御部であり、例えばマイクロ・コンピュータ形態のＡＳＩＣ１０１、ＲＯＭ１０３、ＲＡＭ１０５を有する。ＲＯＭ１０３は、ドット配置パターン、マスクパターン、その他の固定データを格納している。ＲＡＭ１０５は、画像データを展開する領域や作業用の領域等を設けている。ＡＳＩＣ１０１がＲＯＭ１０３からプログラムを読み出し、画像データを記録媒体へ記録するまでの一連の処理を実行する。詳しくは、インク打ち込み量に対応する情報からマスクパターンを選択して画像データを分割し、各パスの記録データを生成する。
【００２６】
ホスト装置１１０は、後述する画像データの供給源（プリントに係る画像等のデータの作成、処理等を行うコンピュータとする他、画像読み取り用のリーダ部等の形態であってもよい）である。画像データ、その他のコマンド、ステータス信号等は、インタフェース（Ｉ／Ｆ）１１２を介してコントローラ１００と送受信される。
【００２７】
ヘッド・ドライバ１４０は、プリント・データ等に応じて記録ヘッド１を駆動するドライバである。モータ・ドライバ１５０はキャリッジモータ１１を駆動するドライバであり、モータ・ドライバ１６０は搬送モータ１３を駆動するドライバである。
【００２８】
ここで、本実施形態のインクジェット記録装置で使用される、顔料インクを構成する各成分について説明する。
【００２９】
（水性媒体）
本発明で使用するインクには、水及び水溶性有機溶剤を含有する水性媒体を用いることが好ましい。インク中の水溶性有機溶剤の含有量（質量％）は、インク全質量を基準として３．０質量％以上５０．０質量％以下とすることが好ましい。又、インク中の水の含有量（質量％）は、インク全質量を基準として５０．０質量％以上９５．０質量％以下とすることが好ましい。
【００３０】
水溶性有機溶剤は、具体的には、例えば、以下のものを用いることができる。メタノール、エタノール、プロパノール、プロパンジオール、ブタノール、ブタンジオール、ペンタノール、ペンタンジオール、ヘキサノール、ヘキサンジオール、等の炭素数１〜６のアルキルアルコール類。ジメチルホルムアミド、ジメチルアセトアミド等のアミド類。アセトン、ジアセトンアルコール等のケトン又はケトアルコール類。テトラヒドロフラン、ジオキサン等のエーテル類。ポリエチレングリコール、ポリプロピレングリコール等の平均分子量２００、３００、４００、６００、及び１，０００等のポリアルキレングリコール類。エチレングリコール、プロピレングリコール、ブチレングリコール、トリエチレングリコール、１，２，６−ヘキサントリオール、チオジグリコール、ヘキシレングリコール、ジエチレングリコール等の炭素数２〜６のアルキレン基を持つアルキレングリコール類。ポリエチレングリコールモノメチルエーテルアセテート等の低級アルキルエーテルアセテート。グリセリン。エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類。Ｎ−メチル−２−ピロリドン、２−ピロリドン、１，３−ジメチル−２−イミダゾリジノン等。又、水は、脱イオン水（イオン交換水）を用いることが好ましい。
【００３１】
（顔料）
顔料は、カーボンブラックや有機顔料を用いることが好ましい。インク中の顔料の含有量（質量％）は、インク全質量を基準として０．１質量％以上１５．０質量％以下とすることが好ましい。
【００３２】
ブラックインクは、ファーネスブラック、ランプブラック、アセチレンブラック、チャンネルブラック等のカーボンブラックを顔料として用いることが好ましい。具体的には、例えば、以下の市販品等を用いることができる。レイヴァン：７０００、５７５０、５２５０、５０００ＵＬＴＲＡ、３５００、２０００、１５００、１２５０、１２００、１１９０ＵＬＴＲＡ−ＩＩ、１１７０、１２５５（以上、コロンビア製）。ブラックパールズＬ、リーガル：３３０Ｒ、４００Ｒ、６６０Ｒ、モウグルＬ、モナク：７００、８００、８８０、９００、１０００、１１００、１３００、１４００、２０００、ヴァルカンＸＣ−７２Ｒ（以上、キャボット製）。カラーブラック：ＦＷ１、ＦＷ２、ＦＷ２Ｖ、ＦＷ１８、ＦＷ２００、Ｓ１５０、Ｓ１６０、Ｓ１７０、プリンテックス：３５、Ｕ、Ｖ、１４０Ｕ、１４０Ｖ、スペシャルブラック：６、５、４Ａ、４（以上、デグッサ製）。Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学製）。又、本発明のために新たに調製したカーボンブラックを用いることもできる。勿論、本発明はこれらに限定されるものではなく、従来のカーボンブラックを何れも用いることができる。又、カーボンブラックに限定されず、マグネタイト、フェライト等の磁性体微粒子や、チタンブラック等を顔料として用いてもよい。
【００３３】
有機顔料は、具体的には、例えば、以下のものを用いることができる。トルイジンレッド、トルイジンマルーン、ハンザイエロー、ベンジジンイエロー、ピラゾロンレッド等の水不溶性アゾ顔料。リトールレッド、ヘリオボルドー、ピグメントスカーレット、パーマネントレッド２Ｂ等の水溶性アゾ顔料。アリザリン、インダントロン、チオインジゴマルーン等の建染染料からの誘導体。フタロシアニンブルー、フタロシアニングリーン等のフタロシアニン系顔料。キナクリドンレッド、キナクリドンマゼンタ等のキナクリドン系顔料。ペリレンレッド、ペリレンスカーレット等のペリレン系顔料。イソインドリノンイエロー、イソインドリノンオレンジ等のイソインドリノン系顔料。ベンズイミダゾロンイエロー、ベンズイミダゾロンオレンジ、ベンズイミダゾロンレッド等のイミダゾロン系顔料。ピランスロンレッド、ピランスロンオレンジ等のピランスロン系顔料。インジゴ系顔料、縮合アゾ系顔料、チオインジゴ系顔料、ジケトピロロピロール系顔料。フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレット等。勿論、本発明はこれらに限定されるものではない。
【００３４】
又、有機顔料をカラーインデックス（Ｃ．Ｉ．）ナンバーで示すと、例えば、以下のものを用いることができる。Ｃ．Ｉ．ピグメントイエロー：１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５等。Ｃ．Ｉ．ピグメントオレンジ：１６、３６、４３、５１、５５、５９、６１、７１等。Ｃ．Ｉ．ピグメントレッド：９、４８、４９、５２、５３、５７、９７、１２２、１２３、１４９、１６８、１７５、１７６、１７７、１８０、１９２等。同、２１５、２１６、２１７、２２０、２２３、２２４、２２６、２２７、２２８、２３８、２４０、２５４、２５５、２７２等。Ｃ．Ｉ．ピグメントバイオレット：１９、２３、２９、３０、３７、４０、５０等。Ｃ．Ｉ．ピグメントブルー：１５、１５：１、１５：３、１５：４、１５：６、２２、６０、６４等。Ｃ．Ｉ．ピグメントグリーン：７、３６等。Ｃ．Ｉ．ピグメントブラウン：２３、２５、２６等。勿論、本発明はこれらに限定されるものではない。
【００３５】
（分散剤）
上記したような顔料を水性媒体に分散するための分散剤は、水溶性を有する樹脂であれば何れのものも用いることができる。中でも特に、分散剤の重量平均分子量が１，０００以上３０，０００以下、更には３，０００以上１５，０００以下のものが好ましい。インク中の分散剤の含有量（質量％）は、インク全質量を基準として０．１質量％以上５．０質量％以下とすることが好ましい。
【００３６】
分散剤は、具体的には、例えば、以下のものを用いることができる。スチレン、ビニルナフタレン、α，β−エチレン性不飽和カルボン酸の脂肪族アルコールエステル、アクリル酸、マレイン酸、イタコン酸、フマール酸、酢酸ビニル、ビニルピロリドン、アクリルアミド、又はこれらの誘導体等を単量体とするポリマー。尚、ポリマーを構成する単量体のうち１つ以上は親水性単量体であることが好ましく、ブロック共重合体、ランダム共重合体、グラフト共重合体、又はこれらの塩等を用いても良い。又は、ロジン、シェラック、デンプン等の天然樹脂を用いることもできる。これらの樹脂は、塩基を溶解した水溶液に可溶である、即ち、アルカリ可溶型であることが好ましい。
【００３７】
（界面活性剤）
インクセットを構成するインクの表面張力を調整するためには、アニオン性界面活性剤、ノニオン性界面活性剤、及び両性界面活性剤等の界面活性剤を用いることが好ましい。具体的には、ポリオキシエチレンアルキルエーテル、ポリオキシエチレンアルキルフェノール類、アセチレングリコール化合物、アセチレングリコールエチレンオキサイド付加物等を用いることができる。
【００３８】
（その他の成分）
インクセットを構成するインクは、前記した成分の他に、保湿性維持のために、尿素、尿素誘導体、トリメチロールプロパン、及びトリメチロールエタン等の保湿性固形分を含有してもよい。インク中の保湿性固形分の含有量（質量％）は、インク全質量を基準として０．１質量％以上２０．０質量％以下、更には３．０質量％以上１０．０質量％以下とすることが好ましい。又、インクセットを構成するインクは、前記した成分以外にも必要に応じて、ｐＨ調整剤、防錆剤、防腐剤、防黴剤、酸化防止剤、還元防止剤、及び蒸発促進剤等の種々の添加剤を含有してもよい。
【００３９】
次に、本実施形態で用いるインクをより具体的に説明する。本発明はその要旨を超えない限り、下記実施例によって限定されるものではない。尚、文中「部」、及び「％」とあるのは、特に断りのない限り質量基準である。
【００４０】
（顔料分散液１〜４の調製）
以下に示す手順により、顔料分散液１〜４を調製した。尚、以下の記載において、分散剤とは、酸価２００、重量平均分子量１０，０００のスチレン−アクリル酸共重合体を、１０質量％水酸化ナトリウム水溶液で中和することにより得られた水溶液のことである。
【００４１】
＜Ｃ．Ｉ．ピグメントレッド１２２を含む顔料分散液１の調製＞
顔料（Ｃ．Ｉ．ピグメントレッド１２２）１０部、分散剤２０部、イオン交換水７０部を混合し、バッチ式縦型サンドミルを用いて３時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液１を得る。
【００４２】
＜Ｃ．Ｉ．ピグメントブルー１５：３を含む顔料分散液２の調製＞
顔料（Ｃ．Ｉ．ピグメントブルー１５：３）１０部、分散剤２０部、イオン交換水７０部を混合し、バッチ式縦型サンドミルを用いて５時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液２を得る。
【００４３】
＜Ｃ．Ｉ．ピグメントイエロー７４を含む顔料分散液３の調製＞
顔料（Ｃ．Ｉ．ピグメントイエロー７４）１０部、分散剤２０部、イオン交換水７０部を混合し、バッチ式縦型サンドミルを用いて１時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液３を得る。
【００４４】
＜Ｃ．Ｉ．ピグメントブラック７を含む顔料分散液４の調製＞
カーボンブラック顔料（Ｃ．Ｉ．ピグメントブラック７）１０部、分散剤２０部、イオン交換水７０部を混合し、バッチ式縦型サンドミルを用いて３時間分散する。尚、分散する際の周速は、顔料分散液１を調製する際の２倍とした。その後、遠心分離処理によって粗大粒子を除去する。更に、ポアサイズ３．０μｍのセルロースアセテートフィルター（アドバンテック製）にて加圧ろ過し、顔料濃度が１０質量％である顔料分散液４を得る。
【００４５】
（インクの調製）
図７に示した各成分を混合し、十分攪拌した後、ポアサイズ０．８μｍのセルロースアセテートフィルター（アドバンテック製）にて加圧ろ過を行い、インク１〜１１を調製する。尚、これらインク成分中のそれぞれの顔料濃度は、下記の理由により設定している。淡インクは、吐出量３．５ｐｌのインクドットでの記録において、粒状性を軽減するために使用することを目的としており顔料濃度は０．８％〜１％が好ましい。中インクは、光沢紙を初めとした光沢性記録媒体における画像の光沢性と発色性を維持することを目的としており、顔料濃度は１．５％〜２．５％が好ましい。これは、色再現が可能な範囲内で、光沢性記録媒体で用いる色材濃度を低くすることで、単一インクドット自身の高さを低くし、記録媒体表面でインクドットが重なった場合においても凹凸が激しくなるのを防止するためである。一方、濃インクは、高光沢が求められないマット紙や普通紙等の非記録媒体に対して主に使用することを目的としており、これらの紙は光沢性記録媒体に比べ発色性に劣るものが多い。よって、このような非記録媒体においても高発色な画像を形成できる顔料濃度として２．５％〜が好ましい。
【００４６】
以上、本実施形態で用いるインクの構成成分の例について述べた。次に、本実施形態における画像処理について説明する。
【００４７】
図８は、本実施形態のインクジェット記録システムにおける画像データの変換処理の流れを説明するためのブロック図である。入力されるＲＧＢ各色８ビット（２５６階調）で表される画像データを、インク各色１ビットのデータに変換して出力する画像処理のフローを示している。
【００４８】
この記録システムは、ホスト装置１１０と記録装置（プリンタ）２１０とで構成される。ホスト装置１１０は、例えばパーソナルコンピュータ（ＰＣ）であり、アプリケーションＪ０００１と、本実施例における記録装置のためのプリンタドライバ１１１とで構成される。
【００４９】
アプリケーションＪ０００１は、ホスト装置１１０のモニタおけるＵＩ画面にてユーザが指定した情報に基づいて、後述するプリンタドライバ１１１に渡す画像データを作成する処理および、記録の制御を司る記録制御情報を設定する処理を実行する。図９はかかる画像データ情報及び記録制御情報の構成例を示した図である。記録制御情報は、「記録媒体情報」、「記録品位情報」、および給紙方法等のような「その他制御情報」から構成されている。記録媒体情報には、記録の対象となる記録媒体の種類が記述されており、普通紙、光沢紙、はがき、プリンタブルディスクなどのうち、いずれか１種類の記録媒体が規定されている。記録品位情報には、記録の品位が記述されており、「きれい」、「標準」、「はやい」等のうち、いずれか１種の品位が規定されている。アプリケーションで処理されたこれらの画像データ及び記録制御情報は、記録の際にプリンタドライバ１１１に渡される。
【００５０】
プリンタドライバ１１１はその処理として、前段処理Ｊ０００２、後段処理Ｊ０００３、γ補正Ｊ０００４、量子化部Ｊ０００５、および印刷データ作成処理Ｊ０００６を有する。以下に、各処理を簡単に説明する。
【００５１】
前段処理Ｊ０００２は色域（Ｇａｍｕｔ）のマッピングを行う。この処理は、ｓＲＧＢ規格の画像データＲ、Ｇ、Ｂによって再現される色域を、プリンタによって再現される色域内に写像するためのデータ変換を行う。具体的には、Ｒ、Ｇ、Ｂのそれぞれが８ビットで表現された２５６階調のデータを、３次元のＬＵＴ（ルックアップテーブル）を用いることにより、色域が異なるそれぞれ８ビットのＲ、Ｇ、Ｂデータに変換する。
【００５２】
後段処理Ｊ０００３は、後述する後段処理用の３次元ＬＵＴテーブルに基づき、上記色域のマッピングがなされたＲ、Ｇ、Ｂデータを、このデータが表す色を再現するインクの組み合わせであるそれぞれ８ビットの色分解データに変換する。本実施形態では、前述の１１色のＣ、ＭＣ、ＬＣ、Ｍ、ＭＭ、ＬＭ、Ｙ、ＭＹ、Ｋ、ＭＫ、ＬＫの色分解データに変換する。尚、ここでは前段処理と同様に、３次元ＬＵＴに補間演算を併用して変換を行う。
【００５３】
γ補正Ｊ０００４は、後段処理Ｊ０００３によって求められた各色の色分解データについて、各色毎にその濃度値（階調値）変換を行う。具体的には、１次元ＬＵＴを用い上記色分解データをプリンタの階調特性に線形的に対応づけられるような変換を行う。
【００５４】
量子化部Ｊ０００５は、γ補正がなされた各色８ビットの色分解データのそれぞれについて、４ビットのデータに変換する量子化処理を行う。本実施形態では、誤差拡散法を用いて２５６階調の８ビットデータを１６階調の４ビットデータに変換する。この４ビット記録画像データは、記録装置におけるドット配置のパターン化処理におけるドット配置パターンを示すためのインデックスとなるデータである。尚、この各色１６階調に量子化されたデータは、レベル０〜１６のいずれかの階調を示す階調値情報を示す。
【００５５】
印刷データ作成処理Ｊ０００６は、上述した記録制御情報および量子化部Ｊ０００５で作成された４ｂｉｔの記録画像データで構成されている。以上のようにして生成された記録データは、記録装置Ｊ００１３へ供給される。
【００５６】
ホスト装置１１０によって印刷データが記録装置（プリンタ）２１０に送られると、プリンタは入力された印刷データに対して、ドット配置パターン化処理Ｊ０００７およびマスク処理Ｊ０００８を行う。
【００５７】
ドット配置パターン化処理Ｊ０００７では、入力された１６値の階調値情報をドット配置パターンに変換して２値化処理を行う。これにより、プリンタがインクを吐出するか否かの２値データを得ることができる。
【００５８】
マスク処理Ｊ０００８では、互いに補完の関係にある複数のマスクパターンを用いて、ドット配置パターン化処理Ｊ０００７により決定された各色のドット配置に対し、記録走査のタイミング情報を加えたデータに変換する。
【００５９】
そして、この記録データは、マルチパス記録における複数回の記録パスで、適切なタイミングでヘッド駆動回路Ｊ０００９に供給される。そして、駆動回路Ｊ０００９に入力された記録データは、記録ヘッド１の駆動パルスに変換され、各色の記録ヘッド１から所定のタイミングでインクが吐出される。これにより、記録データに応じたインク吐出が行われ、記録媒体に画像の記録が行われる。
【００６０】
次に、後段処理Ｊ０００３で用いられる前述の３次元ＬＵＴについて詳しく説明する。図１０に後段処理用の３次元ＬＵＴの概念図を示す。図１０は、プリンタによって再現されるそれぞれ２５６階調のＲ、Ｇ、Ｂ値の各格子点に対し、それに対応するＣ、ＭＣ、ＬＣ、Ｍ、ＭＭ、ＬＭ、Ｙ、ＭＹ、Ｋ、ＭＫ、ＬＫの値が割り付けられていることを示している。（Ｒ、Ｇ、Ｂ）＝（０，０，０）が最も明度の低いブラック（Ｋ）、（Ｒ、Ｇ、Ｂ）＝（２５５，２５５，２５５）が最も明度の高いホワイト（Ｗ）を示す。
【００６１】
図１１は、上記ＬＵＴを参照し、Ｒ，Ｇ、Ｂを１１色のインクの値に変換する処理を示している。後段用３次元ＬＵＴは、記録時に使用するインクや記録媒体に依存した発色性の違いに対応させるために、複数種類のものがプリンタドライバ１１１に格納されている。そして、本実施形態においては、記録媒体の種類を示す信号に応じて、複数種類のＬＵＴの中から選択して用いられる。
【００６２】
ここで、比較例を図１２に示す。コート紙には、最も顔料濃度が高い第１のインクである濃インクと、濃インクよりも顔料濃度の低い第２のインクである中インクと、中インクよりも顔料濃度の低い第３のインクである淡インクの同系色の３種類のインクを用いる。普通紙には、第１のインクである濃インクと、第３のインクである淡インクの同系色の２種類のインクを用いて記録する方法について述べる。
【００６３】
図１３（ａ）、（ｂ）は、図１２における普通紙ＬＵＴとコート紙ＬＵＴを用いて、Ｒ，Ｇ、Ｂを使用するインクの値に変換する処理を示している。図１４は、図１２の処理を行うための普通紙用ＬＵＴとコート紙用ＬＵＴの差異を説明するためのグラフである。縦軸は後段処理後の各色の値に対応するインク量を示し、横軸は前述のプリンタによって再現される所定の色相における０から２５５のＲ、Ｇ、Ｂ値である。本図では、Ｋ・ＭＫ・ＬＫのインクを用いるグレーラインにおけるインク量を示している。図１４（ａ）は普通紙用ＬＵＴを示すための図であり、ハイライト部は主に淡インクを使用し、それ以外の中間調からシャドウ部では主に濃インクを使用することを表している。これにより、粒状性が目立たない中間調からシャドウ部にかけて積極的に濃インクを使用することで普通紙への記録におけるインク消費量を押さえることができる。一方、図１４（ｂ）はコート紙用ＬＵＴを示すための図であり、ハイライト部は主に淡インクを使用し、中間調では中インクを使用し、シャドウ部では主に濃インクを使用することを示している。これにより、ハイライト部の粒状性を抑制し、且つ、ハイライト部からシャドウ部にかけての階調性を向上させることができる。
【００６４】
このように、普通紙とコート紙で使用するインクの色材濃度の組み合わせを変更した後段ＬＵＴをもつことにより、普通紙でのインク消費量低減とコート紙での良好な粒状性・階調性を両立することができる。
【００６５】
しかしながら、普通紙とコート紙に対してこのようなインクの選択を行うと、光沢紙において濃インクが使用されることになり、前述したとおり、記録画像の光沢性が損なわれる場合がある。
【００６６】
そこで、本発明に特徴的な、第１の記録媒体である光沢紙、および第２の記録媒体であるマット紙に対して記録を行う際に用いるインクの使用方法について説明する。本発明者らの実験によれば、所定の濃度の画像を形成する場合、濃インクを用いて画像を形成するよりも淡インクを用いて画像を形成する方が印字表面の平滑性が高くなることを確認した。図１（ｂ）は、所定の濃度の画像を淡インクでは４ドット、濃インクでは２ドットで形成した場合における、紙面上のドット配置と断面図を示している。図１（ｂ）に示すように、淡インクを用いた場合に、ドットが重なり印字表面の凹凸が激しくなる領域Ｓ（ドット高さｈ）は、濃インクを用いた場合の印字表面の凹凸が激しくなる領域Ｓ’（ドット高さｈ’）に比べて、小さい。すなわち、淡インクを用いる方が、単一のインクドットの高さを低くすることに加え、所定の濃度の画像を形成する場合にも着弾したドットの重なりを効率的に減らし印字表面の平滑性を高くすることができると考えられる。
【００６７】
この点を考慮して、本実施形態では図１５（ａ）に示すようにアプリケーションＪ０００１の記録媒体の種類に関する情報に基づき、それぞれの記録モードに用いるインクセットを選択する。すなわち、光沢性を重視する第１のモードである光沢紙モードには濃インクを使用せずに淡インクと中インクのインクセットを使用する。そして、発色性を重視する第２のモードであるマット紙モードには濃インクを含む淡インクと中インクと濃インクのインクセットを使用する。
【００６８】
図１５（ｂ）は、アプリケーションＪ０００１で設定可能な記録媒体に対し、光沢紙モードで記録される記録媒体をＡとし、マット紙モードで記録される記録媒体をＢとして分類した一例である。ここでは、前述したように光沢度が２％以上の記録媒体、すなわち光沢紙、半光沢紙、フィルム、ＯＨＰ、写真印画紙を記録媒体Ａとし、光沢度が２％未満の記録媒体を記録媒体Ｂとしている。
【００６９】
一般に、光沢紙は粒子径の小さな粒子を用いてインク受容層が形成されており、光沢性に優れているがインク吸収性が遅いといった特徴がある。一方、マット紙は粒子径の大きな粒子を用いてインク受容層が形成されており、光沢性は抑制されているがインク吸収性が高いといった特徴がある。これら光沢紙やマット紙の一例としては、特開平９−９９６２８や特開２００７−９０８６４等が開示されている。
【００７０】
図１６（ａ）、（ｂ）は、図１５（ａ）における光沢紙ＬＵＴとマット紙ＬＵＴを用いて、Ｒ，Ｇ、Ｂを使用するインクの値に変換する処理を示している。図１７は光沢紙の後段ＬＵＴとマット紙の後段ＬＵＴに対応したグラフであり、本実施形態では、図１４と同様にＫ・ＭＫ・ＬＫのインクを用いている。横軸は、前述のプリンタによって再現される０から２５５のＲ、Ｇ、Ｂ値を示し、縦軸は後段処理後の各色の値に対応するインク量を示す。図１７（ａ）は、ハイライト部から中間調では主に淡インクを使用し、中間調からシャドウ部では主に中インクを使用することを表している。本実施例におけるインクセットでは、中インクで、光沢紙において十分な色再現性を保証しているため、積極的に濃インクを使用する必要はない。図１７（ｂ）は、ハイライト部では主に淡インクを使用し、中間調では主に中インクを使用し、シャドウ部では主に濃インクを使用する。これは、シャドウ部で積極的に濃インクを使用することで、マット紙の発色性を向上させることができる。
【００７１】
以上説明したように本実施形態では、光沢紙モードでは濃インクを用いずに中インクと淡インクを用いて記録を行い、マット紙モードでは濃インク・中インク・淡インクを用いる。そして、それぞれの記録媒体に対応した後段ＬＵＴをもつことにより、光沢紙における記録画像の高光沢性と、マット紙における高発色性を両立することができる。
【００７２】
以上の説明では、１１色のインクセットＣ、ＭＣ、ＬＣ、Ｍ、ＭＭ、ＬＭ、Ｙ、ＭＹ、Ｋ、ＭＫ、ＬＫのインクセットの場合で説明したが、これに限ったものではない。本発明は、光沢紙に濃インクを使用せずに記録を行うことにより記録画像の光沢性を損なわないことと、また、マット紙に濃インクを使用することにより発色性を向上させることを両立するインクジェット記録装置を提供するためのものである。よって、この範囲内で、光沢紙およびマット紙において色再現が可能な色および色材濃度の組み合わせのインクセットを用いてよい。例えば、インクタンクの種類を減らすために、ブラックを含まないシアン、マゼンダ、イエローの顔料色材からなるインクセットを用いても良い。また、例えば、レッド，グリーン等の特色や透明インクなど違う色のインクを加えてもよい。
【００７３】
さらに、図１８のように、コート紙とは材質の異なる第３の記録媒体である普通紙において、第３のモードを実行可能としてもよい。すなわち、光沢紙においては淡インクと中インクを使用し、マット紙では淡インクと濃インクを使用し、普通紙ではインクの発色性を向上させるために濃インクのみを用いるようなモードを実行可能としてもよい。
【００７４】
また、本実施形態では、光沢紙に記録を行う光沢紙モードで中インクと淡インクの両方を用いて記録を行ったが、このどちらか１色のみを用いてもよい。また、マット紙に記録を行うマット紙モードにおいては、濃インク、中インク、淡インクの全てを用いて記録を行ったが、発色性を向上させるために少なくとも濃インクを用いればよい。
【００７５】
また、本実施形態において、光沢度を指標として光沢紙とマット紙を分類したが、光沢度だけでなく前述の写像性、もしくは光沢性と写像性の両方を考慮してもよい。
【００７６】
また、本実施形態では、ユーザがホスト１１０の表示画面から入力した情報から現在給紙されている記録媒体の種類を判別し、後段処理のＬＵＴが決定される。この記録媒体の種類に関する情報を入力する入力手段としては、装置本体に設けられた記録媒体選択スイッチを用いてもよい。さらに言えば、図８に示すようにホスト装置１１０のプリンタドライバを用いて行なった一連の処理を、記録装置本体のコントローラ１００にて行う形態でもよい。
【００７７】
（第２の実施形態）
次に、本発明における第２の実施形態について説明する。以下に述べる発明の特徴以外の事項については第１の実施形態と同様である。第１の実施形態では、光沢紙において印字画像の高光沢性を重視するために濃インクを含めない中インクと淡インクのインクセットを用いた。しかしながら、光沢紙に記録を行う場合でも常に高光沢の画像が求められるわけではなく、発色性を求められる場合もある。そこで、本実施形態では、光沢紙に記録をする際、ユーザーの用途に応じた光沢性と発色性を確実に実現するため、ホスト１１０の表示画面上でユーザーが記録モードを任意に設定できる場合について説明する。
【００７８】
図２０に示すようなユーザーインターフェース（ＵＩ）に基づき、ユーザーは記録モードをマニュアルで設定する。図１９は、ホスト１１０の表示画面上で設定できる記録モードのうち、用紙種類と本実施形態で行う記録モードの関係を示す図である。図１９で示すように、「用紙種類」で光沢紙が選択された場合、前述した第１のモードである『光沢重視モード』と第４のモードである『発色重視モード』からいずれかを実行可能とする。
【００７９】
図２１は、光沢紙の『光沢重視モード』、『発色重視モード』、マット紙のそれぞれに対応したインクセットを示したテーブルである。本実施形態では、光沢紙の『光沢重視モード』が選択された場合は、濃インクを使用せず、中インクと淡インクのみを用いて光沢性の低下を防ぐ。一方、光沢紙の『発色重視モード』およびマット紙が選択された場合は、濃インクと淡インクを用いて高い発色性を得る。また、普通紙も選択可能とし、濃インクと淡インクを用いている。
【００８０】
このように、本実施形態では、濃インクを用いて光沢紙に記録を行う発色重視モードを有することにより、光沢紙においても発色性を重視して記録を行うことを可能とする。
【００８１】
（第３の実施形態）
前述の実施形態では、複数のモードにそれぞれ対応したインクセットの組み合わせについて述べたが、さらにこれらのモードにおいて記録動作を設定することも可能である。図２１に、インクセットの組み合わせに記録動作を加えたテーブルの例を示す。
【００８２】
本実施形態では、ユーザが光沢紙・マット紙・普通紙の各々に対して、画質を重視する『きれい』、スピードを重視する『速い』、そして『標準』の３つの印字モードの中から選択可能とする。選択した記録媒体と印字モードに対応して、使用するインクセットと記録パス数が決定する。第２の実施形態と同様に、光沢紙においては『光沢重視モード』と『発色重視モード』を選択するため、それぞれに対して印字モードが選択可能である。
【００８３】
本図では、光沢紙の光沢重視モードを選択した場合、全ての印字モードにおいて濃インクを用いずに、中インクのみ、もしくは中・淡インクを用いて記録を行う。同様に、光沢紙の発色重視モードとマット紙では、全ての印字モードで濃インクを用いて記録を行う。そして、普通紙では『きれい』モードは選択不可とし、『標準』と『速い』モードで濃インクを用いて記録を行う。
【００８４】
そして、全てのモードにおいて、画質を重視するモードほど多いパス数で記録が行なわれる。また、光沢紙において、『光沢重視モード』では、『発色重視モード』よりも記録パス数が少ない。それは、インクドット同士の重なりを減少させることによって光沢性の低下を防ぐためである。
【００８５】
以上、説明したように本実施形態によれば、記録媒体の種類と印字モードの設定に応じて記録に用いるインクセットと記録パス数を設定することにより、ユーザーが求める記録画像を提供することができる。
【符号の説明】
【００８６】
１  記録ヘッド
４  ガイドレール
５  キャリッジ
１１  キャリッジモータ
１００  コントローラ
１０１  ＡＳＩＣ
１０３  ＲＯＭ
１０４  ＲＡＭ
１１０  ホスト装置
１４０  ヘッドドライバ
１５０、１６０  モータドライバ
２１０  記録装置
【図１】
2010253883.tif 000003
【図２】
2010253883.tif 000004
【図３】
2010253883.tif 000005
【図４】
2010253883.tif 000006
【図５】
2010253883.tif 000007
【図６】
2010253883.tif 000008
【図７】
2010253883.tif 000009
【図８】
2010253883.tif 000010
【図９】
2010253883.tif 000011
【図１０】
2010253883.tif 000012
【図１１】
2010253883.tif 000013
【図１２】
2010253883.tif 000014
【図１３】
2010253883.tif 000015
【図１４】
2010253883.tif 000016
【図１５】
2010253883.tif 000017
【図１６】
2010253883.tif 000018
【図１７】
2010253883.tif 000019
【図１８】
2010253883.tif 000020
【図１９】
2010253883.tif 000021
【図２０】
2010253883.tif 000022
【図２１】
2010253883.tif 000023